(57)【要約】【課題】超音波振動子上のスケールの析出を防止することができる超音波加湿装置を提供する。【解決手段】凹部（２１１）を含む基部（２１）と、基部（２１）上に配置され、凹部（２１１）と流体連通している水タンク（２２）とを含む超音波加湿装置（２）。ミスト噴霧管（２３）は、水タンク（２２）上に配置され、凹部（２１１）と流体連通している。超音波振動子（２４）は、凹部（２１１）内の水を噴霧するために、凹部（２１１）の底端部内に配置されている。可撓性保護カバー（２５）が凹部（２１１）内に配置されて、凹部（２１１）を水タンク（２２）およびミスト噴霧管（２３）と流体連通している上部凹部部分（２１２）と、超音波振動子（２４）を収容するための密封された下部凹部部分（２１３）に分割している。凹部（２１１）の下部凹部部分（２１３）は絶縁液体（２６）で満たされ、絶縁液体は、超音波振動子（２４）と接触している。【選択図】図３
0003148436.tif 000002
【実用新案登録請求の範囲】
【請求項１】
凹部（２１１）を含む頂面を有する基部（２１）と、
前記基部（２１）上に配置され、前記基部（２１）内の前記凹部（２１１）と流体連通している水タンク（２２）と、
前記水タンク（２２）上に配置され、前記基部（２１）内の前記凹部（２１１）と流体連通しているミスト噴霧管（２３）と、
前記基部（２１）内の前記凹部（２１１）内の水を噴霧して、前記ミスト噴霧管（２３）内に流れ込む霧を形成するために、前記基部（２１）内の前記凹部（２１１）の底端部内に配置される超音波振動子（２４）と、
を含む超音波加湿装置（２）であって、
前記基部（２１）内の前記凹部（２１１）内に配置され、前記凹部（２１１）を、前記水タンク（２２）および前記ミスト噴霧管（２３）と流体連通している上部凹部部分（２１２）と、前記超音波振動子（２４）を収容するための密封された下部凹部部分（２１３）に分割している可撓性保護カバーと、
前記基部（２１）内の前記凹部（２１１）の前記下部凹部部分（２１３）内に満たされ、前記超音波振動子（２４）と接触している絶縁液体（２６）と、
を備えることを特徴とする超音波加湿装置。
【請求項２】
前記絶縁液体（２６）が、高水質の水であることを特徴とする、請求項１に記載の超音波加湿装置（２）。
【請求項３】
前記水タンク（２２）が、前記基部（２１）内の前記凹部（２１１）の前記上部凹部部分（２１２）と流体連通している給水口（２２１）と、前記水タンク（２２）内の前記給水口（２２１）の開閉を制御するための弁（２２２）とを有することを特徴とする、請求項１に記載の超音波加湿装置（２）。
【請求項４】
前記ミスト噴霧管（２３）が、その上端部に配置され、そこを通して前記加湿装置（２）から霧が流れることができるミスト出口（２３１）と、その下端部に配置され、前記基部（２１）内の前記凹部（２１１）と流体連通しているミスト入口（２３２）とを有することを特徴とする、請求項１に記載の超音波加湿装置（２）。
【請求項５】
前記保護カバー（２５）が、軟質プラスチック材料でできていることを特徴とする、請求項１に記載の超音波加湿装置（２）。
【考案の詳細な説明】
【技術分野】
【０００１】
本考案は、加湿装置に関し、特に、超音波加湿装置に関する。
【背景技術】
【０００２】
図１を参照すると、従来の超音波加湿装置１は、基部１１と、基部１１上に配置される水タンク１２と、水タンク１２を通って延びるミスト噴霧管１３と、基部１１上に配置される超音波振動子１４とを含む。基部１１は、水タンク１２およびミスト噴霧管１３と流体連通している凹部１１１を含む頂面を有する。超音波振動子１４は、凹部１１１の底端部内に配置される。
【０００３】
使用中、水タンク１２は、所定量の噴霧水で満たされる。水は、水タンク１２から凹部１１１に流入し、超音波振動子と接触する。それ故、凹部１１１内の水は、霧を形成するために霧状になる。霧は、ミスト噴霧管１３を通って大気中に吹き出されて周囲の空気の湿度が増大する。
【考案の開示】
【考案が解決しようとする課題】
【０００４】
しかし、長期間超音波加湿装置を使用した後では、スケールが超音波振動子１４上に容易に析出し、それにより加湿空気の品質が悪影響を受け（例えば、不快な臭気を発生するために）、噴霧化効率および超音波振動子１４の耐用年数が低減する。上記欠点を克服するために、超音波振動子１４を頻繁に洗浄しなければならない。しかし、このような洗浄を行うと、超音波振動子１４が損傷を起こす恐れがある。
【０００５】
本考案の目的は、超音波振動子上のスケールの析出を防止することができる超音波加湿装置を提供することである。
【課題を解決するための手段】
【０００６】
本考案によれば、超音波加湿装置は、凹部を有する基部と、基部上に配置され、凹部と流体連通している水タンクとを含む。ミスト噴霧管は、水タンク上に配置され、凹部と流体連通している。超音波振動子は、凹部内の水を噴霧するために凹部の底端部内に配置される。可撓性保護カバーが凹部内に配置され、凹部を水タンクおよびミスト噴霧管と流体連通している上部凹部部分と、超音波振動子を収容するための密封された下部凹部部分とに分割している。凹部の下部凹部部分は絶縁液体で満たされ、絶縁液体は、超音波振動子と接触している。
【０００７】
保護カバーおよび絶縁液体が存在しているので、水は超音波振動子と接触することができない。そのため、超音波振動子上のスケールの析出を防止することができる。
【考案を実施するための最良の形態】
【０００８】
添付の図面を参照しながら、本考案の好ましい実施形態の以下の詳細な説明を読めば、本考案の上記および他の特徴および利点を理解することができるだろう。
【０００９】
図２および図３を参照すると、本考案による超音波加湿装置２の好ましい実施形態は、基部２１と、基部２１上に配置される水タンク２２と、水タンク２２を通って延びるミスト噴霧管２３と、基部２１内、かつ、ミスト噴霧管２３の下に配置される超音波振動子２４と、超音波振動子２４とミスト噴霧管２３の間に配置される可撓性保護カバー２５と、絶縁液体２６とを含む。この実施形態の場合には、絶縁液体２６は、純水のような高水質の水である。
【００１０】
基部２１は、凹部２１１を含む頂面を有する。保護カバー２５は、基部２１内の凹部２１１内に配置されて、凹部２１１を水タンク２２、およびミスト噴霧管２３と流体連通している面積の広い上部凹部部分２１２と、絶縁液体２６で満たされている密封された面積の狭い下部凹部部分２１３に分割している。保護カバー２５は、軟質プラスチック材料からできている。超音波振動子２４は、下部凹部部分２１３の底端部内に配置され、凹部２１１内の水を噴霧するために絶縁液体２６と接触している。下部凹部部分２１３は密封されているので、絶縁液体２６の容積を変えることはできない。
【００１１】
水タンク２２は、基部２１内の凹部２１１の上部凹部部分２１２と流体連通している給水口２２１と、給水口２２１の開閉を制御するために周知の方法で給水口２２１内に設置されている弁２２２とを有する。ミスト噴霧管２３は、その上端部に配置され、水タンク２２の外側に配置されるミスト出口２３１と、その下端部に配置され、基部２１内の凹部２１１の上部凹部部分２１２と流体連通しているミスト入口２３２とを有する。
【００１２】
使用中、水タンク２２は、所定量の噴霧水で満たされる。水は、水タンク２２から給水口２２１を介して、基部２１内の凹部２１１の上部凹部部分２１２に流入する。その後で、霧を形成するために、基部２１内の凹部２１１内の上部凹部部分２１２内で水を噴霧するために、超音波振動子２４が駆動される。霧は、ミスト噴霧管２３を通して周知の方法で大気中に吹き出され、周囲の空気の湿度を増大する。
【００１３】
保護カバー２５および絶縁液体２６が存在しているので、水は超音波振動子２４と接触することができない。そのため、超音波振動子２４上のスケールの析出を防止することができる。それ故、本考案の目的が達成される。
【００１４】
上記考案を、本考案の範囲および精神から逸脱することなしに、種々に修正し、変更することができることを理解することができるだろう。それ故、本考案は、添付の請求の範囲に記載する内容によってだけ制限される。
【図面の簡単な説明】
【００１５】
【図１】従来の超音波加湿装置の部分断面側面図である。
【図２】本考案による超音波加湿装置の好ましい実施形態の部分分解斜視図である。
【図３】好ましい実施形態の部分断面側面図である。
【図１】
0003148436.tif 000003
【図２】
0003148436.tif 000004
【図３】
0003148436.tif 000005